(57)【要約】【課題】アナログ公衆回線に接続して使用する通信装置において、安価かつ、省スペースにすることができる通信装置を提供することを目的とするものである。【解決手段】電話回線に接続して通信を行う第１通信手段と、第１通信手段を経由し、電話回線に接続し、通信する第２通信手段とを具備する通信装置において、第１通信手段は、電話回線を、第１通信手段または第２通信手段に接続する第１スイッチ手段と、第１スイッチ手段を経由し、第２通信手段を電話回線へ接続する第１経路手段と、第２通信手段を直接、電話回線へ接続する第２経路手段と、第２通信手段を、第１経路手段または第２経路手段に接続する第２スイッチ手段と、第１経路手段に接続される第１フック検出手段と、第２経路手段の電話回線と、第２スイッチ手段との間に接続される第２フック検出手段とを有する。【選択図】　図１
2004064601.tif 000002
【特許請求の範囲】
【請求項１】
電話回線に接続して通信を行う第１通信手段と、上記第１通信手段を経由し、上記電話回線に接続し、通信する第２通信手段を接続するための接続手段とを具備する通信装置において、
上記第１通信手段は、
上記電話回線を、第１通信手段または上記第２通信手段に接続する第１スイッチ手段と；
上記第１スイッチ手段を経由し、上記第２通信手段を上記電話回線へ接続する第１経路手段と；
上記第２通信手段を直接、上記電話回線へ接続する第２経路手段と；
上記第２通信手段を、第１経路手段または第２経路手段に接続する第２スイッチ手段と；
上記第１経路手段に接続される第１フック検出手段と；
上記第２経路手段の電話回線と、上記第２スイッチ手段との間に接続される第２フック検出手段と；
を有することを特徴とする通信装置。
【請求項２】
請求項１において、
上記第２スイッチ手段が、上記第２通信手段を上記第１経路手段に接続しているときに、上記第１フック検出手段が上記第２通信手段のフック状態を検出し、上記第２スイッチ手段が、上記第２通信手段を上記第２経路手段に接続しているときに、上記第２フック検出手段が上記第２通信手段のフック状態を検出することを特徴とする通信装置。
【請求項３】
請求項１または請求項２において、
上記第１フック検出手段は、上記第１経路手段上の上記第１スイッチ手段と、上記第２スイッチ手段との間に接続されていることを特徴とする通信装置。
【請求項４】
請求項１または請求項２において、
上記第１フック検出手段は、上記電話回線と、上記第１スイッチ手段との間に接続されていることを特徴とする通信装置。
【請求項５】
請求項１〜請求項４のいずれか１項において、
上記第２フック検出手段のオフフック検出電流値は、上記第１フック検出手段のオフフック検出電流値よりも小さいことを特徴とする通信装置。
【請求項６】
請求項１〜請求項５のいずれか１項において、
上記第１通信手段は、上記フック検出手段の出力が変化したときに、その一定時間後に、フック状態が変化したと判断するタイマ判定手段を有することを特徴とする通信装置。
【請求項７】
請求項１〜請求項６のいずれか１項において、
上記第２経路手段の電話回線と、上記第２スイッチ手段との間に、４個の一方向素子で構成されている電流整流手段が設けられていることを特徴とする通信装置。
【請求項８】
請求項１〜請求項７のいずれか１項において、
上記第１スイッチ手段が、上記第１通信手段側へ接続されているときに、上記第２スイッチ手段を、上記第１経路手段に接続する手段を有することを特徴とする通信装置。
【請求項９】
請求項１〜請求項８のいずれか１項において、
上記第２経路手段は、上記電話回線と上記第２スイッチ手段との間に、第３スイッチ手段を有し、上記第３スイッチ手段は、上記第２経路手段を接続、切断を行う手段であることを特徴とする通信装置。
【請求項１０】
請求項９において、
上記第２スイッチ手段を上記第２経路手段に接続している時に、上記第２通信手段のフック状態を検出する場合は、上記第３スイッチ手段を第２経路手段接続状態にすることを特徴とする通信装置。
【請求項１１】
請求項１０において、
上記第１スイッチ手段を上記第１通信手段に接続し、上記第１通信手段が動作中は、第３スイッチ手段を第２経路手段切断状態にすることを特徴とする通信装置。
【請求項１２】
請求項１〜請求項１１のいずれか１項において、
上記第１通信手段に、モデムが使用され、上記第２通信手段は、電話機であることを特徴とする通信装置。
【発明の詳細な説明】
【０００１】
【発明の属する技術分野】
本発明は、電話機等、第２通信手段を接続して使用可能なファクシミリ装置やデータ通信装置において、上記第２通信手段のフック状態を検知する通信装置に関する。
【０００２】
【従来の技術】
図６は、従来の通信装置６００を示す図である。
【０００３】
従来の通信装置６００は、１本のアナログ公衆回線（ＰＳＴＮ）に、通信手段ＣＳ６１、ＣＳ６２が接続され、第１通信手段ＣＳ６１としてのファクシミリ装置に、第２通信手段ＣＳ６２としての電話機を接続して使用する従来例である。
【０００４】
従来の通信装置６００において、端子Ｌ１、Ｌ２に、回線が接続され、端子Ｔ１、Ｔ２に、電話機が接続されている。第１通信手段ＣＳ６１は、モデム６４（ファクシミリモデムやデータ通信モデム）を有し、通信を行う。
【０００５】
そして、第１スイッチ手段としてのＣＭＬリレー６１を設け、回線を、電話機側に接続するか、第１通信手段ＣＳ６１のモデム６４側に接続して、電話機か第１通信手段のモデム６４のどちらかを使用できる。
【０００６】
すなわち、ＣＭＬリレー６１がオフ側であれば、回線は、電話機に接続され、オン側であれば、回線は、モデム６４に接続され、電話機かモデム６４のどちらかが動作できる。
【０００７】
トランス６３は、通信上のアナログ信号を伝達する。直流捕捉部６２は、電話回線の直流電流を流すことによって、通信装置が回線を接続していることを、局交換機が認識する。
【０００８】
ＣＭＬリレー６１をオン側へ接続しているときに、回線が第１通信手段ＣＳ６１のトランス６３、直流捕捉部６２に接続されているので、第１通信手段としてのファクシミリ装置は、モデム６４による通信が可能になる。
【０００９】
この場合、回線が１本であるので、ファクシミリ装置か電話機か、どちらか一方しか使用することができず、したがって、ファクシミリ装置は、電話機の回線使用状態（オンフック／オフフック状態）を、常に監視する必要がある。
【００１０】
電話機のフック状態を検出する場合、電話機がオフフックされたときに流れる電流を、ＨＯＯＫ検知器６６に流し、ＨＯＯＫ検知器６６から出力されるＨＯＯＫ信号によって、電話機のフック検出を行う。
【００１１】
ＨＯＯＫ検知器６６は、フォトカプラやホール素子を利用した電流センサ、電流検知リレー等によって構成されている。
【００１２】
すなわち、従来の通信装置６００であるファクシミリ装置を介して、第２通信手段ＣＳ６２である電話機の接続部に、回線直流電圧を印加するか、または、ファクシミリ装置内部の直流電源６７を印加する。電話機がオンフックであるときには、電流が流れないので、ＨＯＯＫ検知器６６がＨＯＯＫ信号を出力せず、一方、電話機がオフフックであれば、適当な電流が流れ、ＨＯＯＫ検知器６６がＨＯＯＫ信号を出力するので、従来の通信装置６００であるファクシミリ装置は、第２通信手段ＣＳ６２である電話機のフック状態を検出することができる。
【００１３】
ＨＯＯＫ検知器６６は、通常、５〜１０ｍＡの直流電流が流れると、オフフックを検知したと判定する。
【００１４】
一方、ファクシミリ装置内部に、第２のスイッチ（Ｈリレー６５）を設け、電話機を、回線側か、ファクシミリ装置内部の直流電源６７か、どちらかに切り替えると、以下のような動作を実現することができる。
【００１５】
第１のスイッチ（ＣＭＬリレー６１）を、電話機側（オフ側）へ接続し、第２のスイッチ（Ｈリレー６５）を、回線側（オフ側）へ接続すると、電話機を使用可能状態になり、また、回線直流電圧によるフックを検出することができる。すなわち、待機状態や、電話機使用状態におけるフック状態を検知することができる。
【００１６】
また、第１のスイッチ（ＣＭＬリレー６１）の接続方向に関わらず、第２のスイッチ（Ｈリレー６５）をファクシミリ装置内部の直流電源６７側（オン側）へ接続すると、ファクシミリ装置内部の直流電源６７による電話機のフック検出が可能になる。したがって、ファクシミリ装置が待機状態である場合だけでなく、ファクシミリ装置が動作状態でも、電話機のフックを検出することができる。
【００１７】
さらには、待機状態であるときに、回線から呼出信号が着信すると、第２のスイッチ（Ｈリレー６５）が回線側に接続されている場合に、呼出信号が電話機に届き、電話機が鳴動し、第２のスイッチ（Ｈリレー６５）がファクシミリ装置内部の直流電源６７側に接続されている場合に、呼出信号が電話機に届かず、電話機が鳴動しない。
【００１８】
これらは、ファクシミリ装置の制御や設定によって、どちらかを選択できるようになっている。
【００１９】
また、特開平１−１２９６４９号公報には、通話手段の状態を検出する検出手段に、回線の電圧を印加する印加手段を設け、この印加手段によって印加される電圧に基づいて、検出手段が通話手段の状態を検出することが記載されている。
【００２０】
また、特許第３０５５３４３号公報には、子電話機を鳴動させる呼出信号を、一方向性素子によって無効にする無効手段を設け、しかも、子電話機のフック状態を検出できるファクシミリ装置が記載されている。
【００２１】
【発明が解決しようとする課題】
上記従来例において、第２通信手段ＣＳ６２である電話機の接続部に、従来の通信装置６００であるファクシミリ装置の直流電源を印加する場合に、従来の通信装置６００の内部に有する２次の直流電源をそのまま使用するときに、その直流電源は、従来の通信装置６００の他の２次回路と絶縁分離する必要があり、この絶縁分離する回路を設けると、高価であり、使用スペースが広くなり、また、余分な消費電力が必要になるという問題がある。
【００２２】
また、上記従来例において、従来の通信装置６００の内部ノイズが、第２通信手段ＣＳ６２や回線に出やすくなり、このノイズを抑えるために、ノイズ対策回路を設ける必要が生じ、ノイズ対策回路を設けると、高価であり、しかも、上記ノイズ対策回路のスペースが必要になるという問題がある。
【００２３】
また、上記従来例において、第２通信手段ＣＳ６２である電話機を使用するときに、その動作を保証するために、ＨＯＯＫ検知器は、電話機の使用に対してその回線規格を満足する必要がある。すなわち、従来の通信装置６００の回線接続部と、第２通信手段ＣＳ６２である電話機の接続部との間、つまり、従来の通信装置６００における端子Ｌ１、Ｌ２とＴ１、Ｔ２との間で、音声帯域の信号ロスを抑える規格である「挿入ロス」や、抵抗値を抑える規格である「シリーズＤＣ抵抗」等の規格を満足する必要がある。
【００２４】
しかし、第２通信手段ＣＳ６２である電話機のオフフック検知を、上記５〜１０ｍＡよりも小さい電流値で行う必要がある場合に、ＨＯＯＫ検知器をそのように構成しても、上記規格を同時に満足することが困難であるという問題がある。
【００２５】
また、特開平１−１２９６４９号公報に記載されている従来方法では、通話手段の状態を検出する手段は１つであり、この場合に、検出感度を、１種類しか実現することができず、回線電圧状態によっては、検出できない場合がある。たとえば、回線リレー（ｃｍｌ）が、モデム部１に接続されているときに、回線電流は、モデム部１に流れるが、同時に、ｈリレーをオンして、電話機２の状態、特にオフフックを検知する場合、電話機２の直流インピーダンスが、モデム部１の直流インピーダンスよりも高ければ、電話機２側に流れる直流電流が小さくなり、電話機２のオフフック状態検出手段に必要な電流よりも小さくなり、これによって、電話機２のオフフックを検知することができないという問題がある。
【００２６】
また、上記従来方法では、電話機を鳴動させないようにする手段がなく、通信装置が動作状態でなければ、到来した呼び出し信号が、電話機に必ず到達し、電話機を鳴動させたくない場合でも鳴動するという問題がある。
【００２７】
また、特許第３０５５３４３号公報に記載されている従来方法では、子電話機１つに対して、オフフック検出回路が１つ設けられ、上記問題が同様に起こり得る。
【００２８】
さらに、上記従来例では、上記問題を解決しようとすると、電話回線の極性を検出する手段と、その検出された極性に基づいて、電話回線の極性と子電話機の極性とを整合させる極性整合手段とを必要とし、装置内部回路が増え、コストアップ、回路スペースの増大、消費電力の増加の要因になるという問題がある。
【００２９】
本発明は、アナログ公衆回線に接続して使用する通信装置において、安価かつ、省スペースにすることができる通信装置を提供することを目的とするものである。
【００３０】
【課題を解決するための手段】
本発明は、電話回線に接続して通信を行う第１通信手段と、上記第１通信手段を経由し、上記電話回線に接続し、通信する第２通信手段を接続するための接続手段とを具備する通信装置において、上記第１通信手段は、上記電話回線を、第１通信手段または上記第２通信手段に接続する第１スイッチ手段と、上記第１スイッチ手段を経由し、上記第２通信手段を上記電話回線へ接続する第１経路手段と、上記第２通信手段を直接、上記電話回線へ接続する第２経路手段と、上記第２通信手段を、第１経路手段または第２経路手段に接続する第２スイッチ手段と、上記第１経路手段に接続される第１フック検出手段と、上記第２経路手段の電話回線と、上記第２スイッチ手段との間に接続される第２フック検出手段とを有する通信装置である。
【００３１】
【発明の実施の形態および実施例】
［第１実施例］
図１は、本発明の第１実施例である通信装置１００を示すブロック図である。
【００３２】
通信装置１００は、第１通信手段ＣＳ１１を有し、さらには第２通信手段ＣＳ１２を接続するための接続手段である、たとえば、モジュラコネクタ等を有する。第１通信手段ＣＳ１１は、たとえば、ファクシミリ通信を行う通信手段であり、第２通信手段ＣＳ１２は電話機である。
【００３３】
通信装置１００は、Ｌ１、Ｌ２の２線を介して、アナログ公衆回線に接続され、第２通信手段の接続手段であるＴ１、Ｔ２の２線を介して、第２通信手段ＣＳ１２である電話機が接続されている。
【００３４】
通信装置１００であるファクシミリ装置は、ＣＭＬリレー１１と、第１通信手段ＣＳ１１と、Ｈリレー１５と、第１経路手段１６と、第２経路手段１７と、ＨＯＯＫ検知器１８、１９とを有する。第１通信手段ＣＳ１１は、直流捕捉部１２と、トランス１３と、モデム１４とを有する。
【００３５】
ＣＭＬリレー１１は、第１のスイッチ手段の例であり、オフ側へ接続している場合には、第２通信手段ＣＳ１２である電話機側へ、回線を接続する。ＣＭＬリレー１１をオン側へ接続する場合は、第１通信手段であるモデム１４（ここではファクシミリモデム）へ接続する。すなわち、ファクシミリ装置が動作していない待機状態や、電話機が動作状態であるときに、オフ側に接続し、ファクシミリ装置がモデム１４によって通信動作するときに、オン側に接続する。
【００３６】
第１経路手段１６は、回線をＬ１、Ｌ２からＣＭＬリレー１１を経由し、電話機側へ接続する２線である。
【００３７】
トランス１３は、通信上のアナログ信号を伝達する。直流捕捉部１２が、電話回線の直流電流を流すことによって、通信装置が回線を接続していることを、局交換機が認識する。
【００３８】
ＣＭＬリレー１１をオン側へ接続しているときは、回線が第１通信手段ＣＳ１１である、トランス１３、直流捕捉部１２に接続しているので、ファクシミリ装置は、モデム１４による通信が可能になる。
【００３９】
Ｈリレー１５は、第２スイッチ手段の例であり、第１経路手段１６のＣＭＬリレー１１と電話機との間に接続され、第１経路手段１６か第２経路手段１７かのどちらかに、電話機を接続するリレーである。
【００４０】
第２経路手段１７は、回線を接続するＬ１、Ｌ２から分岐し、Ｌ１、Ｌ２とＨリレー１５とを、２線で接続する経路である。したがって、Ｈリレー１５がオフ側であり、しかも、ＣＭＬリレー１１がオフ側であるときに、電話機は、第１経路手段１６を経由し、回線に接続され、Ｈリレー１５がオン側であるときに、ＣＭＬリレー１１の接続に関わらず、電話機は、第２経路手段１７を経由し、回線に接続することができる。
【００４１】
第１ＨＯＯＫ検知器１８は、第１経路手段１６のＣＭＬリレー１１とＨリレー１５との間に接続され、電話機が第１経路手段１６を経由し、回線に接続されるときに、電話機のフック検知を行う。
【００４２】
第２ＨＯＯＫ検知器１９は、第２経路手段１７上の分岐点とＨリレー１５との間に接続され、第２経路手段１７を経由し、電話機が回線に接続されるときに、電話機のフック検知を行う。
【００４３】
第１ＨＯＯＫ検知器１８や第２ＨＯＯＫ検知器１９は、フォトカプラやホール素子を利用した電流センサ、電流検知リレー等によって構成され、流れる直流電流に応じて、第１ＨＯＯＫ検知器１８が出力するＨＯＯＫ１信号や、第２ＨＯＯＫ検知器１９が出力するＨＯＯＫ２信号のレベルが決まり、図示しない第１通信手段ＣＳ１１のＣＰＵはＨＯＯＫ１信号やＨＯＯＫ２信号のレベルを見て、電話機が、オンフック状態であるか、オフフック状態であるかを判断する。
【００４４】
すなわち、電話機が、オンフック状態であるときに、第１ＨＯＯＫ検知器１８や第２ＨＯＯＫ検知器１９に電流が流れないので、ＨＯＯＫ１信号やＨＯＯＫ２信号は、たとえばＬｏｗレベルになり、一方、電話機がオフフック状態であるときに、第１ＨＯＯＫ検知器１８や第２ＨＯＯＫ検知器１９に電流が流れ、ＨＯＯＫ１信号やＨＯＯＫ２信号は、逆にＨｉｇｈレベルになる。
【００４５】
電話機がオンフック状態からオフフックされたときや、電話機がオフフック状態からオンフックされたときに、ＨＯＯＫ１信号やＨＯＯＫ２信号のレベルが変化するが、電話機のフックスイッチのチャタリングや電話機内部のコンデンサ、抵抗による電流変化の遅延などを除去するために、フック状態判定タイマが設けられている。
【００４６】
つまり、ＨＯＯＫ１信号やＨＯＯＫ２信号が、ＬｏｗレベルからＨｉｇｈレベルに変化したときに、タイマをスタートし、たとえば５００ｍｓ間、連続してＨｉｇｈレベルが続けば、電話機は、オンフック状態からオフフック状態に変化したと判断する。
【００４７】
第１ＨＯＯＫ検知器１８や第２ＨＯＯＫ検知器１９がフォトカプラである場合は、直流電流の方向を制限しない両方向フォトカプラを使用する。電流センサや電流検知リレーの場合も、直流電流の方向の制限はない。
【００４８】
次に、上記実施例の動作について説明する。
【００４９】
待機状態において、ＣＭＬリレー１１は、オフ側に接続されているので、Ｈリレー１５は、オフ側、オン側のいずれに接続されていても、電話機のフック検出が可能である。すなわち、Ｈリレー１５がオフ側に接続されている場合に、電話機を、第１の経路１６に接続することになり、電話機がオフフックであるときに、第１の経路１６を経由して流れる回線からの電流が第１ＨＯＯＫ検知器１８に流れＨＯＯＫ１信号がＨｉｇｈレベルになることによって、電話機のオフフックを検知することができる。
【００５０】
もちろん、電話機がオンフックであるときに、電流が流れないので、ＨＯＯＫ１信号がＬｏｗレベルになることによってオンフックを検知することができる。また、Ｈリレー１５がオン側に接続している場合に、電話機が第２の経路１７に接続することになり、電話機がオフフックであるときに、第２の経路１７を経由して流れる回線からの電流が第２ＨＯＯＫ検知器１９に流れＨＯＯＫ２信号がＨｉｇｈレベルになることによって、電話機のオフフックを検知することができる。
【００５１】
上記のように、電話機がオンフックであるときに、電流が流れないので、ＨＯＯＫ２信号がＬｏｗレベルになることによってオンフックを検知することができる。
【００５２】
したがって、従来例で必要であった装置内部の直流電源を、上記実施例では必要とせず、よって、上記直流電源によって生じるノイズを除去すべきノイズ除去回路も、上記実施例では不要である。
【００５３】
待機状態から電話機がオフフックされると、ＣＭＬリレー１１は、オフの接続を継続し、Ｈリレー１５は、オフの接続を継続するか、オンからオフに接続して、電話機を第１経路手段１６に接続して回線に接続することによって、電話機の問題ない使用（通話）を保証する。このときに、電話機のオンフックを検知する場合、第１ＨＯＯＫ検知器１８が、電話機のオンフックを検知する。
【００５４】
一方、ＣＭＬリレー１１をオン側に接続し、ファクシミリ装置が何らかの動作をしているときに、電話機のフックを検知する必要がある場合、Ｈリレー１５を必ずオン側に接続し、電話機を第２の経路１７に接続する。
【００５５】
たとえば、ファクシミリ装置にフックキーが設けられ、このフックキーが押下され、ＣＭＬリレー１１がオン状態になっているときや、ファクシミリ装置がダイヤル動作に入るために、ＣＭＬリレー１１をオンした後にダイヤルする前や、ＦＡＸ／ＴＥＬ切換モードにおいて呼び出し信号着信後にＣＮＧ信号を検出するため、ＣＭＬリレー１１をオンした後や、電話機がオフフックされた状態でファクシミリ装置からダイヤル信号を送出するときや、ＣＭＬリレー１１をオンし、モデム１４から保留音や音声応答信号を出力しているとき等に、Ｈリレー１５を必ずオン側に接続し、電話機を第２の経路１７に接続する。
【００５６】
したがって、電話機がオフフックであるときに、第２の経路１７を経由し、流れる回線からの電流を第２ＨＯＯＫ検知器１９に流すことによって、電話機のオフフックを検知することができ、もちろん、電話機がオンフックであるときに、第２ＨＯＯＫ検知器１９に電流が流れないので、オンフックを検知することができる。
【００５７】
さらに、第１実施例の動作として以下の場合がある。
【００５８】
ＣＭＬリレー１１がオンであるときに、電話機のフック検知が必要な場合は、Ｈリレー１５をオンし、電話機を第２経路手段１７に接続し、フック検知を行うが、この状態で、電話機がオフフックされ、ファクシミリ装置の動作に影響を及ぼす場合は、Ｈリレー１５をオフすることによって、電話機を第２経路手段１７から切り離し、電話機を回線から切り離す。たとえば、電話機とファクシミリ装置とが、回線に対して並列に接続され、ファクシミリ装置側の特性が変化し、その動作に影響を及ぼす場合であり、たとえばファクシミリ装置が通信中やダイヤル信号送出中のときに、Ｈリレー１５をオフし、電話機を第２経路手段１７から切り離す。
【００５９】
上記のように、第１経路手段１６、第２経路手段１７に、それぞれ設けられている第１ＨＯＯＫ検知器１８、第２ＨＯＯＫ検知器１９を、さらに、以下のように構成する。
【００６０】
第１ＨＯＯＫ検知器１８は、電話機使用状態であるときに接続する第１経路手段１６上に存在しているので、電話機の仕様を保証するために、上記のような規格を満足し、しかも、電話機のオフフックを検出する電流値を、約５〜１０ｍＡに設定する。したがって、ファクシミリ装置のファクシミリ通信や、ダイヤル送出などに影響がないので、第１ＨＯＯＫ検知器１８として、安価なフォトカプラ等を使用することができる。
【００６１】
一方、第２ＨＯＯＫ検知器１９は、ＣＭＬリレー１１をオンしているときに、電話機のフック検出を行う必要がある場合に、上記のように、電話機を第２経路手段１７に接続してフックを検知することもあるので、以下のように構成する。
【００６２】
すなわち、ＣＭＬリレー１１をオンしているときに、電話機を第２経路手段１７に接続して電話機をオフフックすると、ファクシミリ装置の直流捕捉部１２と電話機とが並列接続した状態になる。このときに、直流捕捉部１２の直流インピーダンスが電話機のそれよりも小さいと、電話機に流れる電流が小さくなり、この場合でも、フックを検出する必要がある。したがって、第２ＨＯＯＫ検知器１９は、電話機に流れる電流が小電流でも、オフフックを検知するように構成する。具体的には、電話機に、数１００μＡ〜１ｍＡの電流が流れた場合に、オフフックであると判断するようにする。
【００６３】
第２ＨＯＯＫ検知器１９が、電話機のオフフックを、小電流で検知するように構成しても、上記のように、タイマ判定手段を設けているので、タイマがフルになり、判定するときに、電話機の内部のコンデンサが充分蓄電され、ＣＭＬリレー１１をオンからオフへ切換え、回線を電話機に接続しても、回線電流が断することによって局交換機がオンフックしたと誤検知することはない。
【００６４】
電話機のフックを検知するときに、第２経路手段１７を使用するので、第２ＨＯＯＫ検知器１９を含む第２経路手段１７に、電話機を接続する状態では、上記規格を満足する必要はなく、小電流のオフフック検出電流を実現することができる。ファクシミリ装置のファクシミリ通信やダイヤル送出等に影響がないように、第２ＨＯＯＫ検知器１９を接続するので、安価なフォトカプラを使用することができる。
【００６５】
ここで、上述の各種リレーの制御は、ファクシミリ装置の不図示のＣＰＵ等の制御手段によって行われている。
【００６６】
［第２実施例］
図２は、本発明の第２実施例である通信装置２００を示すブロック図である。
【００６７】
通信装置２００は、第１通信手段ＣＳ２１を有し、さらには第２通信手段ＣＳ２２を接続するための接続手段である、たとえば、モジュラコネクタなどを有する。第１通信手段ＣＳ２１は、たとえば、ファクシミリ通信を行う通信手段であり、第２通信手段ＣＳ２２は、第２通信手段ＣＳ１２と同じ電話機である。
【００６８】
さらに、通信装置２００の第２経路手段１７は電流整流器２０を有する。電流整流器２０は、第２経路手段１７上であって、Ｈリレー１５よりも回線側に設けられている。
【００６９】
図３は、電流整流器２０の一例を示す回路図である。
【００７０】
電流整流器２０は、図３に示すように、一方向素子（たとえばダイオード）を４個使用し、回線側には、極性がないようにダイオードのアノード、カソード接続端子に接続し、Ｈリレー１５側には、極性があるアノード接続端子（−）とカソード接続端子（＋）に接続する。このようにすると、回線からの直流電流の極性によらず、Ｈリレー１５側には、一方向の直流電流を得ることができ、第２ＨＯＯＫ検知器１９によるＨＯＯＫ検知を、問題なく実現することができる。
【００７１】
特に、第２ＨＯＯＫ検知器１９は、電流整流器２０よりもＨリレー１５側に位置するので、回線の直流電流の方向が一定になり、したがって、片方向フォトカプラの使用が可能になり、両方向フォトカプラによって、コストダウンすることができる。電流センサや直流検知リレーの場合も、直流電流の方向の制限がないが、直流電流の方向に制限がある場合でも、第２ＨＯＯＫ検知器１９として使用することができる。
【００７２】
また、通信装置２００であるファクシミリ装置が待機状態であるときに、Ｈリレー１５をオンし、第２通信手段ＣＳ２２である電話機を、第２経路手段１７に接続すると、回線から１５Ｈｚ〜６０Ｈｚの正と負の電圧レベルを持った呼び出し信号が到来しても、電流整流器２０によって整流され、正のみの電圧レベルを持った半波になり、呼び出し信号が無効化され、電話機内部のリンガが鳴動しない。すなわち、従来例においてファクシミリ装置内部に設けている直流電源を設けなくても、回線に接続した状態で、電話機を鳴動させずに無効にすることができる。
【００７３】
一方では、待機状態のときに、Ｈリレー１５をオフし、電話機を第１経路手段１６に接続すると、回線から到来した呼び出し信号は、そのまま電話機に到達し、電話機は問題なく鳴動する。
【００７４】
待機状態におけるＨリレー１５の接続は、ファクシミリ装置の初期設定による。
【００７５】
上記のように、第２経路手段１７に電流整流器２０を設けるので、Ｈリレー１５をオンしたときに、呼び出し信号が到来しても、電話機は鳴動しない。さらには、４個の一方向素子を使用して、電流整流器２０を構成するので、回線直流電流の向きを問わず、余計な回路を追加することなく、電話機のオフフックを問題なく検知することができる。
【００７６】
［第３実施例］
図４は、本発明の第３実施例である通信装置３００を示すブロック図である。
【００７７】
通信装置３００は、第１通信手段ＣＳ３１を有し、第２通信手段ＣＳ３２を接続するための接続手段である、たとえば、モジュラコネクタなどを有する。第１通信手段ＣＳ３１は、たとえば、ファクシミリ通信を行う通信手段であり、第２通信手段ＣＳ３２は、第２通信手段ＣＳ１２と同じ電話機である。
【００７８】
さらに、通信装置３００の第２経路手段１７はＨ検知リレー２１を有する。Ｈ検知リレー２１は、通信装置３００において、第２経路手段１７中であって、Ｈリレー１５よりも回線側に設けられている。通信装置３００においては、２線のうち片側にのみ、Ｈ検知リレー２１を設けているが、上記２線の両方に、Ｈ検知リレー２１を設けるようにしてもよい。
【００７９】
Ｈ検知リレー２１をオンすると、第２経路手段１７が接続され、Ｈリレー２１をオフすると、第２経路手段１７が切断される。他の構成は、通信装置２００と同じである。
【００８０】
次に、通信装置３００における制御動作について説明する。
【００８１】
ＣＭＬリレー１１がオンであるときに、第２通信手段ＣＳ３２である電話機のフック検知を必要とする場合、Ｈリレー１５をオンし、電話機を、第２経路手段１７に接続し、第２フック検知器１９でフックを検知する。電話機がオフフックされた状態で、第１通信手段ＣＳ３１であるファクシミリ通信手段の動作に影響を及ぼす場合であって、Ｈリレー１５をオンする必要があるときに、Ｈ検知リレー２１をオフし、第２経路手段１７を切断する。すなわち、電話機を回線から切り離す。
【００８２】
たとえば、第２通信手段ＣＳ３２である電話機と、第１通信手段ＣＳ３１であるファクシミリ通信手段とが、回線に対して並列に接続され、ファクシミリ装置側の特性が変化し、その動作に影響を及ぼす場合に、たとえばファクシミリ装置が通信中やダイヤル信号送出中に、Ｈ検知リレー２１をオフし、第２経路手段１７を切断する。
【００８３】
通信装置３００によれば、上記のように、Ｈ検知リレー２１を設け、Ｈ検知リレー２１によって第２経路手段１７を切り離すことができるので、ファクシミリ装置が通信中であったり、ダイヤル信号送出中である場合に、電話機がオフフックされても、電話機の上記動作による影響が生じないように、回線から電話機を切り離すことができる。
【００８４】
さらに、上記のように、Ｈ検知リレー２１の代わりに、Ｈリレー１５をオフする場合に、Ｈリレー１５がメカリレーであると、その切換音が大きく、頻繁に切換る場合は、その音がかなり気になるので、Ｈ検知リレー２１を設け、制御すると、Ｈリレー１５がオン状態を維持することができ、Ｈリレー１５がメカリレーであってもその切換音が生じない。
【００８５】
ここで、上述の各種リレーの制御は、ファクシミリ装置の不図示のＣＰＵ等の制御手段によって行われている。
【００８６】
［第４実施例］
図５は、本発明の第４実施例である通信装置４００を示す回路図である。
【００８７】
通信装置４００は、第１通信手段ＣＳ４１を有し、さらには第２通信手段ＣＳ４２を接続するための接続手段である、たとえば、モジュラコネクタなどを有する。第１通信手段ＣＳ４１は、たとえば、ファクシミリ通信を行う通信手段であり、通信装置４００において、回線を接続するＬ１、Ｌ２とＣＭＬリレー１１との間に、第１ＨＯＯＫ検知器１８を移動した装置である。第２通信手段ＣＳ４２は、第２通信手段ＣＳ３２と同じ電話機である。
【００８８】
その他の構成や動作は、通信装置１００、２００、３００で説明したものと同じであり、第１ＨＯＯＫ検知器１８を、図５に示す位置に接続しても、問題がなく、同様の効果を得ることができる。
【００８９】
通信装置４００において、第１のＨＯＯＫ検知器１８は、ファクシミリ通信やダイヤル等、ファクシミリ動作をする経路上に接続されているので、それらの特性を満足するように構成し、すなわち、直流特性や交流特性に影響がないように構成する。
【００９０】
この場合に、上記電話機に対する規格（挿入ロスやシリーズＤＣ抵抗など）をも容易に満足できる。たとえば、第１ＨＯＯＫ検知器１８にホール素子を利用した電流センサや電流検知リレーを利用することができる。この場合、第１のスイッチ手段がオンである第１通信手段の動作状態においても、回線電流の有無を検知することができる。
【００９１】
ここで、上述の各種リレーの制御は、ファクシミリ装置の不図示のＣＰＵ等の制御手段によって行われている。
【００９２】
通信装置１００、２００、３００、４００において、ＣＭＬリレー１１、Ｈリレー１５は、２回路同時に動作するリレーであるが、その代わりに、１回路リレーを２個使用するようにしてもよい。
【００９３】
請求項１記載の通信装置によれば、電話回線に接続して通信を行う第１通信手段と、上記第１通信手段を経由し、上記電話回線に接続し、通信する第２通信手段を接続するための接続手段とを具備する通信装置において、上記第１通信手段は、上記電話回線を第１通信手段と、上記第２通信手段とのどちらかに接続する第１スイッチ手段と、第１スイッチ手段を経由し、上記第２通信手段を上記電話回線へ接続する第１経路手段と、上記第２通信手段を直接、上記電話回線へ接続する第２経路手段と、上記第２通信手段を、第１経路手段と第２経路手段とのどちらかに接続する第２スイッチ手段と、上記第１経路手段に接続される第１フック検出手段と、上記第２経路手段の電話回線と、第２スイッチ手段との間に接続される第２フック検出手段とを有するので、第２通信手段のフック検出のために、２種類のフック検出手段を持つことができ、フック検出感度を分ける等、用途によって使い分けることができる。
【００９４】
また、特に、第１経路手段は第２通信手段の動作中に接続して使用し、第２経路手段は、第２通信手段のフック検知を行う時のみに使用することができるので、第２フック検知手段を含む第２経路手段に第２通信手段を接続する状態では、第２通信手段のフック検知さえ行うことができれば、その他の要求される規格を満足する必要はなくなる。したがって、第２フック検知手段は、安価なハードウェア（たとえばフォトカプラ等）で構成することが可能である。さらに、第１通信手段の内部に、従来設けられている専用の直流電源を備える必要がなく、また、専用直流電源から発生するノイズもなく、安価で小型のより低消費電力の通信装置を実現することができる。
【００９５】
また、請求項２記載の通信装置によれば、上記第２スイッチ手段が、上記第２通信手段を上記第１経路手段に接続しているときに、上記第１フック検出手段が上記第２通信手段のフック状態を検出し、上記第２スイッチ手段が、上記第２通信手段を上記第２経路手段に接続しているときに、上記第２フック検出手段が上記第２通信手段のフック状態を検出するので、第１通信手段が待機状態、動作状態のいずれのときでも、回線電流による第２通信手段のフック検知が可能となる。たとえば、第１通信手段が回線側に接続されていない状態では、第１フック検出手段、あるいは第２フック検出手段、どちらでも第２通信手段のフック検知が可能である。また、第１通信手段が回線側に接続されている状態でも、第２通信手段のフック検知が必要な場合に、第２フック検出手段によりフック検知が容易に可能である。
【００９６】
さらに、請求項３記載の通信装置によれば、上記第１フック検出手段は、上記第１経路手段上の上記第１スイッチ手段と、上記第２スイッチ手段との間に接続されているので、通信装置の通信やダイヤル送出等には、影響の無い位置であり、第２通信手段に回線を接続する特性やフック検知条件のみを満足すればよく、安価なハードウェア（フォトカプラ等）で構成することが可能である。
【００９７】
そして、請求項４記載の通信装置によれば、上記第１フック検出手段は、上記電話回線と、上記第１スイッチ手段との間に接続されているので、第１のスイッチ手段がオンである第１通信手段の動作状態においても、回線電流の有無を検知することができる。
【００９８】
また、請求項５記載の通信装置によれば、上記第２フック検出手段のオフフック検出電流値は、上記第１フック検出手段のオフフック検出電流値よりも小さいので、回線条件によってオフフック検知する電流が小さくても、問題なくオフフックを検知することができる。
【００９９】
さらに、請求項６記載の通信装置によれば、上記第１通信手段は、フック検出手段の出力が変化したときに、その一定時間後に、フック状態が変化したと判断するタイマ判定手段を有するので、第２通信手段のフックスイッチのチャタリングや第２通信手段内部のコンデンサ、抵抗による電流変化の遅延などを除去することができる。特に、オフフック検知電流が小さく、第２通信手段内部のコンデンサが十分、蓄電されていなくても、タイマ時間経過後には十分、蓄電されるので、その時点で、回線を第１通信手段から第２通信手段につなぎなおしても、回線が断する心配は無い。
【０１００】
そして、請求項７記載の通信装置によれば、上記第２経路手段の電話回線と、上記第２スイッチ手段との間に、４個の一方向素子で構成されている電流整流手段が設けられているので、余計な回路を追加せずに、第２経路手段による第２通信手段のフック検知を問題なく実行することができ、第２フック検出手段は、片方向の電流を検出すればよく、片方向検出の電流検知器をフック検出手段に使うことによりコストダウンにつながり、また、到来した呼び出し信号を半波にすることができ、第２通信手段の呼び出しを無効にすることができる。
【０１０１】
また、請求項８記載の通信装置によれば、上記第１スイッチ手段が、上記第１通信手段側へ接続されているときに、上記第２スイッチ手段を、上記第１経路手段に接続する手段を有するので、第１スイッチ手段が第１通信手段側へ接続しているときでも、必要に応じて電話機と第２経路手段や回線を切断することができ、第２通信手段のオフフック動作が第１通信手段の動作に影響を及ぼさない。
【０１０２】
さらに、請求項９記載の通信装置によれば、上記第２経路手段は、上記電話回線と上記第２スイッチ手段との間に第３スイッチ手段を有し、上記第３スイッチ手段は、上記第２経路手段を接続、切断を行う手段であるので、第２スイッチ手段をオンにしたまま、必要に応じて電話機と第２経路手段や回線を切断することができ、第２通信手段のオフフック動作が、第１通信手段の動作に影響を及ぼさない。
【０１０３】
そして、請求項１０記載の通信装置によれば、上記第２スイッチ手段を上記第２経路手段に接続している時に、上記第２通信手段のフック状態を検出する場合は、上記第３スイッチ手段を第２経路手段接続状態にするので、第２スイッチ手段を第２経路手段に接続している時にフック状態を検出する必要がある場合は、第３スイッチ手段を接続することにより第２通信手段を回線に接続することになるので、第２通信手段がオフフックされても回線からの電流を流すことができ、第２通信手段のフック検出を問題なく実行することができる。
【０１０４】
また、請求項１１記載の通信装置によれば、上記第１スイッチ手段を上記第１通信手段に接続し、上記第１通信手段が動作中は、第３スイッチ手段が第２経路手段を切断状態にするので、第１スイッチ手段が、第１通信手段を回路側へ接続して動作しているときでも、第２スイッチ手段をオンにしたまま必要に応じて、第２通信手段と、第２経路手段や回線とを切断することができ、第２通信手段のオフフック動作が第１通信手段の動作に影響を及ぼさない。
【０１０５】
さらに、請求項１２記載の通信装置によれば、上記第１通信手段にモデムを使用し、上記第２通信手段は、電話機であるので、第１通信手段として、ファクシミリ装置の代わりに、データ通信装置を使用することができる。
【０１０６】
【発明の効果】
本発明によれば、アナログ公衆回線に接続して使用する通信装置を、安価かつ、省スペースにすることができるという効果を奏する。
【図面の簡単な説明】
【図１】本発明の第１実施例である通信装置１００を示す回路図である。
【図２】本発明の第２実施例である通信装置２００を示す回路図である。
【図３】電流整流器２０の一例を示す回路図である。
【図４】本発明の第３実施例である通信装置３００を示す回路図である。
【図５】本発明の第４実施例である通信装置４００を示す回路図である。
【図６】従来の通信装置６００を示す図である。
【符号の説明】
１００、２００、３００、４００…通信装置、
ＣＳ１１、ＣＳ２１、ＣＳ３１、ＣＳ４１…第１通信手段、
１１…ＣＭＬリレー、
１２…直流捕捉部、
１３…トランス、
１４…モデム、
１５…Ｈリレー、
１６…第１経路手段、
１７…第２経路手段、
１８、１９…ＨＯＯＫ検知器、
２０…電流整流器、
２１…Ｈ検知リレー、
ＣＳ１２、ＣＳ２２、ＣＳ３２、ＣＳ４２…第２通信手段。
【図１】
2004064601.tif 000003
【図２】
2004064601.tif 000004
【図３】
2004064601.tif 000005
【図４】
2004064601.tif 000006
【図５】
2004064601.tif 000007
【図６】
2004064601.tif 000008